(57)【要約】【課題】  特に部材が過度の緊締により破損しないように、部材の螺合度合いを使用者に知らせることができる接続部品を提供する。【解決手段】  ねじ山部を備える本体と、前記本体に取り付けられ、リング体と、該リング体の外周壁に設けられると共に、弾性を有する少なくとも１つの制御部とを備える制御リングと、前記本体のねじ山部と螺合され、螺合時に前記制御部と係離することができるように、一側に突出部が設けられるナットとを有することを特徴とする。【選択図】  図１
2010164197.tif 000002
【特許請求の範囲】
【請求項１】
ねじ山部を備える本体と、
前記本体に取り付けられ、リング体と、該リング体の外周壁に設けられると共に、弾性を有する少なくとも１つの制御部とを備える制御リングと、
前記本体のねじ山部と螺合され、螺合時に前記制御部と係離することができるように、一側に突出部が設けられるナットとを有することを特徴とする接続部品。
【請求項２】
前記制御部は、前記突出部との接触により変形可能であり、該突出部からずれる時には、螺合の度合いを知らせるはじき音が生じ、元の形状に回復することを特徴とする請求項１に記載の接続部品。
【請求項３】
前記制御リングのリング体と制御部との間に変形空間が設けられることを特徴とする請求項１又は請求項２に記載の接続部品。
【請求項４】
前記制御リングのリング体に、対応し合う第１結合部と第２結合部とが設けられることを特徴とする請求項１乃至請求項３の何れか１項に記載の接続部品。
【請求項５】
前記本体は、さらに前記ねじ山部の先端に設けられる連結部と、該ねじ山部の末端に設けられる環状溝とを備えることを特徴とする請求項１乃至請求項４の何れか１項に記載の接続部品。
【請求項６】
前記環状溝の内部に係合部が設けられ、前記制御リングのリング体に、前記係合部と対応する位置決め部が設けられることを特徴とする請求項５に記載の接続部品。
【発明の詳細な説明】
【技術分野】
【０００１】
本発明は、特に部材の過度の緊締による破損を防ぐために、部材の螺合の度合いを使用者に知らせることができる接続部品に関するものである。
【背景技術】
【０００２】
例えば、半導体や医薬品を製造する工程において使用した、危険性を有する液体を排出するためのパイプ、又は該パイプと製造機械とを連結する接続部品は、該危険液体の液漏れが発生することのない、高い密封性が要求される。特に該接続部品による螺合部分は、高い密封性を有しなければならない。
【０００３】
従来の旧式接続部品は、内部に貫通孔が形成され、順次に配設される螺合部、挟持部、ねじ山部及び連結部を備えるコネクタ本体と、内ねじ山部とナット挟持部とを備えるナットと、該本体と該ナットとの間に位置するリング部材とを有し、その内、螺合部は、この旧式の接続部品を機械に取り付けるためのものであり、工具で該ナット挟持部及びコネクタ本体の挟持部を挟持し、コネクタ本体及びナットを回転させることにより、前記ねじ山部を内ねじ山部に螺入するものであり、また、前記連結部は、パイプと接続されるものである。しかし、このような構成によれば、高い密封性を得ようとする使用者は、前記パイプと接続部品とを螺合させる時に、高い密封性を得ようとして該コネクタ本体及びナットが変形するほど緊締し、該本体を破損させることがよくあった。
【０００４】
また、図６に示すように、下記特許文献１には、上述した旧式の接続部品の欠点を改善するための、螺合位置を制限する効果を有する従来の接続部品が記載されており、この従来の接続部品は、ナット（９０）の一端におけるナット挟持部の近傍に複数の第１制御突出部（９１）が配設されると共に、本体の挟持部の１側におけるナット（９０）の近傍にリング部（９２）が形成され、該リング部（９２）に少なくとも１つの第２制御突出部（９３）が設けられ、螺合時に、該複数の第１制御突出部（９１）が軸方向に沿って該リング部（９２）へ所定の距離を移動すると、該複数の第１制御突出部（９１）が該リング部（９２）の第２制御突出部（９３）と係離し、螺合の度合いを知らせるはじき音を発生させる。
【先行技術文献】
【特許文献】
【０００５】
【特許文献１】台湾特許第108210号（台湾特許出願第87114417号）。
【発明の概要】
【発明が解決しようとする課題】
【０００６】
しかしながら、前記従来の接続部品には、以下のような問題を有する。
【０００７】
図７に示すように、螺合する時、第１制御突出部（９１）は、軸方向において第２制御突出部（９３）を圧迫し変形させるので、該第２制御突出部（９３）が圧迫されたまま長期間放置すると、該第２制御突出部（９３）は弾力性を失い変形し難くなることから、該第２制御突出部（９３）によるはじき音が小さくなり又ははじき音が発生しなくなるので、螺合度合いを知らせることができなくなってしまう。
【０００８】
また、はじき音を無視し、必要以上に緊締すると、前記第１制御突出部（９１）が前記変形空間に入り込み、前記第２制御突出部（９３）とリング部（９２）との接続部を破壊してしまう恐れがある。
【０００９】
本発明はこのような問題を解決するためになされたものであり、前記従来の接続部品の欠点を改善し、部材が過度の緊締により破損しないように、部材の螺合度合いを使用者に知らせることができるより安全な接続部品を提供することを目的としている。
【課題を解決するための手段】
【００１０】
本願の請求項１の発明は、ねじ山部を備える本体と、
前記本体に取り付けられ、リング体と、該リング体の外周壁に設けられると共に、弾性を有する少なくとも１つの制御部とを備える制御リングと、
前記本体のねじ山部と螺合され、螺合時に前記制御部と係離することができるように、一側に突出部が設けられるナットとを有することを特徴とする接続部品、を提供する。
【００１１】
本願の請求項２の発明は、前記制御部は、前記突出部との接触により変形可能であり、該突出部からずれる時には、螺合の度合いを知らせるはじき音が生じ、元の形状に回復することを特徴とする請求項１に記載の接続部品、を提供する。
【００１２】
本願の請求項３の発明は、前記制御リングのリング体と制御部との間に変形空間が設けられることを特徴とする請求項１又は請求項２に記載の接続部品、を提供する。
【００１３】
本願の請求項４の発明は、前記制御リングのリング体に、対応し合う第１結合部と第２結合部とが設けられることを特徴とする請求項１乃至請求項３の何れか１項に記載の接続部品、を提供する。
【００１４】
本願の請求項５の発明は、前記本体は、さらに前記ねじ山部の先端に設けられる連結部と、該ねじ山部の末端に設けられる環状溝とを備えることを特徴とする請求項１乃至請求項４の何れか１項に記載の接続部品、を提供する。
【００１５】
本願の請求項６の発明は、前記環状溝の内部に係合部が設けられ、前記制御リングのリング体に、前記係合部と対応する位置決め部が設けられることを特徴とする請求項５に記載の接続部品、を提供する。
【発明の効果】
【００１６】
本発明の接続部品は、過度の緊締による破損を防ぐため、部材の螺合度合いを使用者に知らせることができるので、より高い安全を確保でき、作業を容易にすることができる。
【図面の簡単な説明】
【００１７】
【図１】本発明に係る接続部品の使用状態を示す分解斜視図である。
【図２】本発明に係る接続部品の断面図である。
【図３】図２の３−３の平面断面図である。
【図４】本発明に係る接続部品における弾力を有するリングがまだ変形していない状態を示す部分平面断面図である。
【図５】本発明に係る接続部品における弾力を有するリングが圧迫され変形した状態を示す部分平面断面図である。
【図６】従来の接続部品の螺合時において、未だ第２制御突出部が変形していない状態を示す部分側面断面図である。
【図７】従来の接続部品の螺合時において、既に第２制御突出部が変形した状態を示す部分側面断面図である。
【発明を実施するための形態】
【００１８】
以下、添付図面を参照して本発明の好適な実施の形態を詳細に説明する。
【００１９】
図１は本発明に係る接続部品の使用状態を示す分解斜視図であり、図２は本発明に係る接続部品の断面図であり、図３は図２の３−３平面断面図であり、図４は本発明に係る接続部品における弾力を有するリングがまだ変形していない状態を示す部分平面断面図であり、図５は本発明に係る接続部品における弾力を有するリングが圧迫され変形した状態を示す部分平面断面図である。
【００２０】
図１及び図２に示すように、本発明に係る接続部品は、本体（１０）と、制御リング（２０）と、ナット（３０）とを有するものである。尚、本発明に係る接続部品は、さらに環設リング（４０）を有してもよく、該環設リング（４０）は、前記ナット（３０）に固設されるものであってもよい。
【００２１】
前記本体（１０）は、その内部にパイプ（５０）と連通するための貫通孔（１１）が設けられると共に、外側に連結部（１２）と、ねじ山部（１３）と、環状溝（１４）とが順次設けられるものであり、該連結部（１２）は、パイプ（５０）と連結するためのものである。また、前記本体（１０）における環状溝（１４）の内部に係合部（１５）が設けられると共に、該本体（１０）における環状溝（１４）の上端に係合部（１６）が設けられる。尚、前記係合部（１５）（１６）は、凹入部に設けられてもよい。
【００２２】
前記制御リング（２０）は、前記本体（１０）の環状溝（１４）に取り付けられ、リング体（２１）と、該リング体（２１）の外周壁に設けられると共に、弾性を有する少なくとも１つの制御部（２２）とを備えるものである。尚、該リング体（２１）と制御部（２２）との間に孔状の変形空間が設けられることが好ましい。
また、前記制御リング（２０）のリング体（２１）には、互いに対応する第１結合部（２４）と第２結合部（２５）とが設けられ、これら第１結合部（２４）と第２結合部（２５）とを結合させることにより、該制御リング（２０）を該本体（１０）の環状溝（１４）に取り付ける。また、前記制御リング（２０）のリング体（２１）には、前記係合部（１５）（１６）に対応する位置決め部（２６）（２７）が設けられ、該位置決め部（２６）（２７）は、該制御リング（２０）を本体（１０）に固定するために、前記係合部（１５）（１６）に嵌め込まれる。
【００２３】
図３に示すように、ナット（３０）は、本体（１０）と螺合され、内部に形成されるナット孔と、一側に設けられる小径部（３１）と、該ナット孔の内周壁に設けられると共に、該本体のねじ山部（１３）と螺合するためのナットねじ山（３２）と、制御リング（２０）側に突設される、制御部（２２）と係離するための突出部（３３）と、外周壁に設けられる多角形の挟持部（３４）とを有するものである。
【００２４】
前記環設リング（４０）は、前記ナット（３０）のナット孔に位置し、前記パイプ（５０）に環設されるものであり、また、図２に示すように、本発明に係る接続部品が螺合される状態においては、該環設リング（４０）がナット（３０）の小径部（３１）に位置する。
【００２５】
さらに図１及び図２に示すように、本発明に係る接続部品は、パイプ（５０）と他のパイプ（５０）、又はパイプ（５０）と製造機械とを連結するためのものであり、この構成によれば、一端がナット（３０）及び環設リング（４０）に挿入されたパイプ（５０）が、本体（１０）の連結部（１２）に取り付けられてから、ナット（３０）と本体（１０）とが螺合される。
【００２６】
図５に示すように、本実施例においては、本体（１０）と螺合するためにナット（３０）を回転させると、該ナット（３０）が回転するにつれて、該突出部（３３）が円運動を行い、そのままナット（３０）を所定の程度まで締め付けると、該ナット（３０）の突出部（３３）が前記制御リング（２０）の制御部（２２）と係離し始める。さらに図３及び図５に示すように、該突出部（３３）の外周壁が前記制御部（２２）と接触する時、該突出部（３３）が制御部（２２）を圧迫し変形させるが、該円運動を行う突出部（３３）からズレた制御部（２２）は元の形状に回復すると共に、突出部（３３）同士の間に突出する。この時、螺合の度合いを知らせるはじき音が生じる。
【００２７】
そして、そのままナット（３０）を締め続けると、該ナット（３０）の突出部（３３）が本体（１０）の環状溝の下部から延出する平面と当接し、過度に締め付けられるナット（３０）の進行を阻止し、これにより、ナット（３０）の緊締によるナット（３０）又は本体（１０）の破損を防ぐことができる。さらに、阻止されても依然としてナット（３０）が締め付けられた場合には、該突出部（３３）は変形するが、その被害は該突出部（３３）に留まり、該本体（１０）またはナット（３０）にまで被害は及ばないので、本体（１０）またはナット（３０）を保護することができる。
【００２８】
図３及び図７に示すように、はじき音を発生させる第２制御突出部（９３）を長期間圧迫する構造を有する従来の接続部品に対して、本発明に係る接続部品においては、制御部（２２）がナット（３０）の突出部（３３）からズレることによりはじき音を発生させるものであるので、本発明では、従来の接続部品の問題点が解決されている。
【００２９】
また、従来の接続部品においては、第１制御突出部（９１）の締め過ぎにより第２制御突出部（９３）を破壊してしまうことがよくあった。それに対し、本発明に係る接続部品においては、前記ナット（３０）の突出部（３３）が本体（１０）の環状溝の下部から延出する平面に当接することにより、該ナット（３０）の過度な緊締を阻止することができる。
【００３０】
本発明に係る接続部品における制御リング（２０）と本体（１０）とは異なる部材であるので、夫々製造された制御リング（２０）と本体（１０）とを組み合わせ、接続部品を構成することができることから、製造コストの低減に繋がる。
【産業上の利用可能性】
【００３１】
本発明に係る接続部品は上記の構成を有するので、突出部により過度に緊締されるナットの進行を阻止することにより、ナット（３０）及び本体（１０）の破損を確実に防ぐことができ、また、はじき音を発生させる制御部を長期間圧迫する構造を有しないので、従来の接続部品の問題点を解決することができ、さらに、各部材を別個に製造してから組み合わせて構成させるので、製造コストの低減を図ることができる。
【符号の説明】
【００３２】
１０  本体
１１  貫通孔
１２  連結部
１３  ねじ山部
１４  環状溝
１５  係合部
１６  係合部
２０  制御リング
２１  リング体
２２  制御部
２４  第１結合部
２５  第２結合部
２６  位置決め部
２７  位置決め部
３０  ナット
３１  小径部
３２  ナットねじ山
３３  突出部
３４  挟持部
４０  環設リング
５０  パイプ
９０  ナット
９１  第１制御突出部
９２  リング部
９３  第２制御突出部
【図１】
2010164197.tif 000003
【図２】
2010164197.tif 000004
【図３】
2010164197.tif 000005
【図４】
2010164197.tif 000006
【図５】
2010164197.tif 000007
【図６】
2010164197.tif 000008
【図７】
2010164197.tif 000009